(57)【要約】【課題】  ドアなど、構成部品や組立て構造を従来のまま変更しないで、誰にでも簡単で短時間に分解できる加熱調理器を得る。【解決手段】  食品を収納する加熱室２の開口部に装備した開閉自在なドア３と、前記ドア３の骨格を形成し、電波漏洩を防ぐチョーク構造６を施した金属製のドアベース５と、ドア３の外郭を構成しドアベース５に固定される樹脂製のドアワク４と、チョークカバー７等を備え、ドアワク４とチョークカバー７等の樹脂成型品の一部に樹脂厚みの薄い切断部Ａ１４、切断部Ｂ１５を設け、さらにその切断部Ａ１４、切断部Ｂ１５の位置が表面から確認できるように目印１６を表記したものである。【選択図】  図３
2006302787.tif 000002
【特許請求の範囲】
【請求項１】
食品を収納する加熱室（２）の開口部に装備した開閉自在なドア（３）と、前記ドア（３）の骨格を形成し、電波漏洩を防ぐチョーク構造（６）を施した金属製のドアベース（５）と、ドア（３）の外郭を構成しドアベース（５）に固定される樹脂製のドアワク（４）と、チョークカバー（７）等を備え、ドアワク（４）とチョークカバー（７）等の樹脂成型品の一部に樹脂厚みの薄い切断部Ａ（１４）、切断部Ｂ（１５）を設け、さらにその切断部Ａ（１４）、切断部Ｂ（１５）の位置が表面から確認できるように目印（１６）を表記したことを特徴とする高周波加熱装置。
【発明の詳細な説明】
【技術分野】
【０００１】
本発明は、ドアの分解を容易にした高周波加熱装置に関するものである。
【背景技術】
【０００２】
資源の有効活用のため資源の再利用が盛んになり、そのため製品が容易に分解でき、容易に材料の分別ができる事が大変重要になってきている。材料の分別を容易にするためには、樹脂成型品の裏側に材料名を刻印して使用材料を明確にしている。
【０００３】
しかし製品の分解性については、まだ十分とはいえず、どちらかと言えば組立て性に重点がおかれた構造となっている。その代表的な構造は、ネジの本数を減らして、ツメによる引っ掛けによって組立てる構造である。そのため、組立て時は特別な道具も無しに、簡単に組立てられるのに対して、分解時はそのツメの位置やツメによる引っ掛けの構造が表面からでは分からないため、分解するのに多くの時間を要している。
【０００４】
そのドアの分解を容易にする方法として、特許文献１に示すものがある。このものは、チョーク部材を覆う枠体にドアの外側面をなす四つの側壁を設け、一辺の壁面のみを他の壁面より切り離して変形しやすいようにし、残りの三辺は一体形成したものである。組立ては、枠体をチョーク部材にかぶせて上から強く押し込むことによって、枠体に設けたツメ部がチョーク部材に保持されることによって、枠体が外れないようになっている。分解時は他の壁面から切り離して変形しやすくしている一辺の壁面を強く押すことによって枠体のツメ部も同時に変形して保持部分がはずれるようになっている。
【０００５】
【特許文献１】特開平５−２６４５９号公報
【発明の開示】
【発明が解決しようとする課題】
【０００６】
しかしながら、前記のような構成では、枠体をドアの壁面まで延長し、変形しやすいように一辺の両壁面を切り離しているため、デザイン面で制約を受け、さらに、一辺を両壁面から切り離している構造的理由を理解していないと、簡単に分解することが出来ないという問題がある。
【課題を解決するための手段】
【０００７】
本発明は上記課題を解決する為になされたもので、食品を収納する加熱室の開口部に装備した開閉自在なドアと、前記ドアの骨格を形成し、電波漏洩を防ぐチョーク構造を施した金属製のドアベースと、ドアの外郭を構成しドアベースに固定される樹脂製のドアワクと、チョークカバー等を備え、ドアワクとチョークカバー等の樹脂成型品の一部に樹脂厚みの薄い切断部Ａ、切断部Ｂを設け、さらにその切断部Ａ、切断部Ｂの位置が表面から確認できるように目印を表記したしたものである。
【発明の効果】
【０００８】
本発明によれば、ドアの構成部品や、組立て構造を従来のまま変更しないで、樹脂成型品に肉厚の薄い部分を作り、その薄い部分をハサミやニッパのような刃物を使用して切断することで簡単にドアを分解することができる。
【０００９】
また、その肉厚の薄い場所の近傍に目印となる表記をすることで、簡単に切断個所を知ることができる。
【発明を実施するための最良の形態】
【００１０】
以下、本発明の一実施例を高周波加熱調装置のドアについて図１から図４を用いて説明する。
【００１１】
図において、１は高周波加熱装置本体である。２は加熱室で食品を収納して、温めたり、焼いたりする場所である。
【００１２】
３はドアで、加熱室２に食品を出し入れする開口部に装備し、開口部を開閉するためのものである。４はドアワクで、ドア３の外郭を構成するもので、後述するドアベース５に固定され、後述するチョークカバー７を固定するものである。
【００１３】
５はドアベースで、ドア３の骨格を形成し、加熱室２を覗くために中央部には電波漏れを防ぐパンチング加工を施し、また、ドア３を閉めた時に加熱室２とドア３との間から電波漏れを防ぐためにチョーク構造６が施されている。このチョーク構造６は、コの字型に曲げられた構造物からなり、ドア３を閉めた時にドア３と加熱室２の間からの電波漏れを防ぐ役割をしている。
【００１４】
８は耐熱ガラスで、ドアベース５の中央部のパンチング部を塞ぐためのものである。９は接着剤で、耐熱ガラス８をドアベース５に固定するもので、耐熱性のシリコン系接着剤である。
【００１５】
１０はツメＡで、ドアワク４に数箇所設けられ、ドアベース５の嵌合部Ａ１１に引っ掛けてドアワク４をドアベース５に固定するものである。そして、嵌合部Ａ１１は、ドアベース５の縁を垂直に立ち上げた部分で、ドアベース５にドアワク４を装着する時、装着方向にツメＡ１０の上部が傾斜になっているため、簡単にツメＡ１０部をドアベース５の縁が乗り越えて、嵌合部Ａ１１にツメＡ１０が引っ掛りドアワク４はドアベース５より外れなくなる。
【００１６】
１２はツメＢで、ドアワク４に数箇所設けられ、チョークカバー７の嵌合部Ｂ１３の角穴に引っ掛り、ドアワク４にチョークカバー７を固定するものである。嵌合部Ｂ１３は、チョークカバー７の縁部に設けられた角穴で、ドアワク４にチョークカバー７を装着する時、装着方向にツメＢ１２の上部が傾斜になっているため、簡単にツメＢ１２部をチョークカバー７の縁が乗り越えて嵌合部Ｂ１３の角穴にツメＢ１２が引っ掛りチョークカバー７はドアワク４より外れなくなる。
【００１７】
１４の部分は切断部Ａで、ドアワク４に設けた樹脂厚の薄い部分で、ドアワク４の裏側の肉厚を使用に支障ない程度に薄くして、ハサミ、ニッパ等の刃物で簡単に切断できるようにしている。１５の部分は切断部Ｂで、チョークカバー７に設けた樹脂厚の薄い部分で、チョークカバー７の裏側の肉厚を使用に支障ない程度に薄くして、ハサミ、ニッパ等の刃物で簡単に切断できるようにしている。
【００１８】
１６が目印で、切断するために樹脂の肉厚を薄くした場所を知らせるための印である。ここでは、ドアワク４の切断部Ａ１４の近傍に目印となるハサミのマークを表記した例を示したものである。今回は目印１６をドアワク４のみに表記した例で、各部品の切断部が組立て後に隣接する場合は、その近傍に一箇所のみの表記で十分である。また、各部品に各々に目印１６を表記することも可能である。
【００１９】
目印１６の表記方法は表面に刻印でも印刷でも可能で、食品などに使用されている油脂類や掃除などによって簡単に消滅しない材料や方法で表示するものである。また、表記も文字、絵、記号など特に規定するものではない。
【００２０】
次に、本実施例に基づいて分解方法について説明をする。
【００２１】
ドア３を分解するために、目印１６位置を確認して、切断部Ａ１４と切断部Ｂ１５の位置を確認する必要がある。確認するために、目印１６の近傍でチョークカバー７とドアワク４の間に、先端の薄いマイナスドライバの先端などを差込み、隙間を広げて切断部Ａ１４、切断部Ｂ１５を確認する。そして、各切断個所が確認できた後は切断個所の隙間をさらに広げ、樹脂を切断するためのニッパやハサミ等の刃先を、その隙間より進入させ樹脂を切断して分解するものである。
【００２２】
また、切断するニッパやハサミ等が無い場合は従来と同じ方法で分解することも可能である。
【００２３】
初めにチョークカバー７を外すために、先端の薄いマイナスドライバの先端などをチョークカバー７とドアワク４の間に挿入し、ドアワク４を外側に膨らませて嵌合部Ｂ１３を探し出し、その嵌合部Ｂ１３の近傍をさらに外側に膨らませることによって、ツメＢ１２が嵌合部Ｂ１３から外れる。数箇所ある嵌合個所について同様の作業を行うことでチョークカバー７がドアワク４から外すことができる。
【００２４】
今度はドアベース５とドアワク４の間に上記と同様に先端の薄いものを差し込んで、ツメＡ１０近傍のドアワク４を外側に膨らませることで、ツメＡ１０がドアベース５の嵌合部Ａ１１から外れ、同様に数箇所ある嵌合個所について同様の作業を行うことでドアワク４をドアベース５から外すことが可能となる。
【００２５】
以上の説明のように、本発明によればドア３の構成部品や、組立て構造を従来のまま変更しないで、樹脂成型品の樹脂肉厚の薄い部分を作り、その薄い部分をハサミやニッパのような刃物を使用して切断することで簡単にドアを分解することができるものである。
【００２６】
また、その肉厚の薄い場所の近傍に目印となる表記をすることで、誰でも簡単に、切断個所を知ることができるものである。
【図面の簡単な説明】
【００２７】
【図１】本発明の実施例を示す加熱調理器の斜視図である。
【図２】本発明の実施例を示すドアを加熱室側から見た概略説明図である。
【図３】本発明の実施例を示すドアの切断部Ａ付近の説明図である。
【図４】本発明の実施例を示すチョークカバーの切断部Ｂ付近の説明図である。
【符号の説明】
【００２８】
３  ドア
４  ドアワク
５  ドアベース
７  チョークカバー
１４  切断部Ａ
１５  切断部Ｂ
１６  目印
【図１】
2006302787.tif 000003
【図２】
2006302787.tif 000004
【図３】
2006302787.tif 000005
【図４】
2006302787.tif 000006